(57)【要約】【課題】被写体が傾いて撮影されても撮影画像の傾きを補正することのできる画像処理装置を提供すること。【解決手段】カメラ部によって被写体２０１を撮影して撮影画像２０３を生成する。撮影画像２０３が表示される表示部の画面に回転中心となるポイント２０２を設定する。設定されたポイント２０２を中心に、撮影画像２０３を左回りあるいは右回りに回転させることで、被写体２０１が表示されている撮影画像の傾きを補正する。【選択図】    図４
2004246155.tif 000002
【特許請求の範囲】
【請求項１】
画面に表示される画像を処理する画像処理装置であって、
被写体を含む画像を記憶する記憶手段と、
前記記憶手段に記憶されている画像を前記画面に表示する表示手段と、
前記画面に表示される画像を前記画面上の所定の点を中心に回転させる回転手段と、を備え、
前記画像の傾きを補正することを特徴とする画像処理装置。
【請求項２】
前記所定の点は、前記画面上の任意の位置に設定された点であることを特徴とする請求項１記載の画像処理装置。
【請求項３】
前記画面上に予め設定された複数の点のうち、特定の点を選択する選択手段を備え、
前記回転手段は、前記所定の点として前記選択手段によって選択された点を中心に前記画像を回転させることを特徴とする請求項１記載の画像処理装置。
【請求項４】
前記画面上に設定された点を任意の位置に移動させる移動手段を備え、
前記回転手段は、前記所定の点として前記任意の位置に移動した点を中心に前記画像を回転させることを特徴とする請求項１記載の画像処理装置。
【請求項５】
前記画像の回転角度を指示する回転角度指示手段を備え、
前記回転手段は、前記指示された回転角度だけ前記画像を回転させることを特徴とする請求項１乃至４のいずれかに記載の画像処理装置。
【請求項６】
前記回転角度指示手段は、前記画像の回転方向、前記回転の開始および終了を指示することを特徴とする請求項５記載の画像処理装置。
【請求項７】
任意の角度に傾き自在な前記表示手段の傾き角度を検出する角度検出手段と、
前記角度検出手段によって検出された傾き角度に基づいて、前記画面に表示される前記画像の回転角度を算出する回転角度算出手段と、を備え、
前記回転手段は、前記回転角度算出手段によって算出された回転角度に基づいて、前記画像を回転させることを特徴とする請求項１記載の画像処理装置。
【請求項８】
前記画像を撮像して前記記憶手段に格納する撮像手段を備えたことを特徴とする請求項１、２、３、４、５、６または７記載の画像処理装置。
【発明の詳細な説明】
【０００１】
【発明の属する技術分野】
本発明は、画面に表示される画像の傾きを補正する画像処理装置に関する。
【０００２】
【従来の技術】
従来のカメラ付き携帯電話端末には、テレビ電話として使用する際に撮影画像のぶれを軽減するため、画面に表示される画像の傾き補正を行う画像処理装置が搭載されていた（例えば、特許文献１参照）。図１７は、従来の傾き補正機能を有する携帯電話端末の構成を示すブロック図である。同図に示す従来の携帯電話端末１０００は、カメラ部１１０１と、画像処理部１１０２と、メモリ部１１０６と、制御部１１０５と、傾き情報検出部１１１０と、補正処理オン入力部１１２０とを備えて構成されている。
【０００３】
当該携帯電話端末１０００をテレビ電話として使用する場合、カメラ部１１０１によって撮影された撮影画像データをメモリ部１１０６に格納する。制御部１１０５は、撮影時の前後の撮影画像データの輪郭の変化に応じて、傾き情報検出部１１１０によって検出された傾き情報を取り込み、この傾き情報に基づいてメモリ部１１０６に格納されている画像の傾きを補正して表示部１１０４に表示させる。
【０００４】
また、従来の携帯電話端末として、２軸ヒンジ機構を有するヒンジ部を介して、上側筐体および下側筐体が開閉自在かつ回動自在な折畳式のものが知られている（例えば、特許文献２参照）。
【０００５】
【特許文献１】
特開２００１−１６０９５８号公報
【特許文献２】
特開２００１−１６９１６６号公報
【０００６】
【発明が解決しようとする課題】
しかしながら、上記従来のカメラ付き携帯電話端末は、テレビ電話として使用する際、撮影画像の手ぶれによる傾き補正を行うものであって、静止画像の傾きを補正するものではなかった。つまり、メモリ部１１０６に格納されている撮影画像データに基づいて、表示される画像の傾きを補正するものであった。
【０００７】
また、携帯電話端末を手に持って使用する際、被写体が傾いて表示部に表示された場合は携帯電話端末自体を傾けて撮影することがしばしば行われていた。しかし、例えば、被写体を静止画で撮影する際に生じやすい輪郭ボケを防止するために携帯電話端末を平らな面に置いてカメラ部で撮影する場合は、被写体の傾きやカメラ部の傾きにより、撮影した画像が表示部の外枠に対して傾いて表示されても、従来では撮影後に被写体の傾きを補正することはできなかった。
【０００８】
本発明は、上記従来の事情に鑑みてなされたものであって、被写体が傾いて撮影されても撮影画像の傾きを補正することのできる画像処理装置を提供することを目的としている。
【０００９】
【課題を解決するための手段】
上記目的を達成するために、本発明に係る画像処理装置は、画面に表示される画像を処理する画像処理装置であって、被写体を含む画像を記憶する記憶手段と、前記記憶手段に記憶されている画像を前記画面に表示する表示手段と、前記画面に表示される画像を前記画面上の所定の点を中心に回転させる回転手段と、を備え、前記画像の傾きを補正する。したがって、被写体が傾いている画像の傾きを補正することができる。
【００１０】
また、本発明に係る画像処理装置は、前記所定の点は、前記画面上の任意の位置に設定された点であることが望ましい。
【００１１】
また、本発明に係る画像処理装置は、前記画面上に予め設定された複数の点のうち、特定の点を選択する選択手段を備え、前記回転手段は、前記所定の点として前記選択手段によって選択された点を中心に前記画像を回転させる。したがって、所定の点が画面の中央に位置していなくても、複数の点の中から回転中心となるポイントを選択することで、傾き補正後の被写体が画面から外れることなく画面内に被写体を収めることができる。
【００１２】
また、本発明に係る画像処理装置は、前記画面上に設定された点を任意の位置に移動させる移動手段を備え、前記回転手段は、前記所定の点として前記任意の位置に移動した点を中心に前記画像を回転させる。したがって、回転中心となるポイントの位置を柔軟に設定することができる。
【００１３】
また、本発明に係る画像処理装置は、前記画像の回転角度を指示する回転角度指示手段を備え、前記回転手段は、前記指示された回転角度だけ前記画像を回転させることが望ましい。
【００１４】
また、本発明に係る画像処理装置は、前記回転角度指示手段は、前記画像の回転方向、前記回転の開始および終了を指示することが望ましい。
【００１５】
また、本発明に係る画像処理装置は、任意の角度に傾き自在な前記表示手段の傾き角度を検出する角度検出手段と、前記角度検出手段によって検出された傾き角度に基づいて、前記画面に表示される前記画像の回転角度を算出する回転角度算出手段と、を備え、前記回転手段は、前記回転角度算出手段によって算出された回転角度に基づいて、前記画像を回転させる。したがって、表示手段の傾き状態に応じて適当な傾き補正を行うことができる。
【００１６】
さらに、本発明に係る画像処理装置は、前記画像を撮像して前記記憶手段に格納する撮像手段を備えていることが望ましい。
【００１７】
【発明の実施の形態】
以下、本発明に係る画像処理装置の実施の形態について、〔第１の実施形態〕、〔第２の実施形態〕、〔第３の実施形態〕の順に図面を参照して詳細に説明する。なお、以下の説明では、本実施形態の画像処理装置をカメラ付き携帯電話端末に搭載した場合について説明する。
【００１８】
［第１の実施形態］
図１は、本発明に係る第１の実施形態の携帯電話端末を示すブロック図である。同図に示すように、第１の実施形態の携帯電話端末１００は、特許請求の範囲の撮像手段に該当するカメラ部１０１と、表示手段に該当する表示部１０４と、回転手段に該当する画像処理部１０２と、通信部１０８と、記憶手段に該当する外部メモリ１０７およびメモリ部１０６と、制御部１０５と、回転量指示手段に該当する操作入力部１０３とを備えて構成されている。
【００１９】
カメラ部１０１は、被写体を撮影するものである。また、表示部１０４は、撮影画像や外部メモリから読み込んだ画像を表示したり、種々の機能を表示するものである。また、画像処理部１０２は、画像の回転など種々の画像処理を行うものである。また、通信部１０８は、ネットワーク通信など各種通信を行うものである。また、外部メモリ１０７は、携帯電話端末の筐体に対して着脱自在であり、画像などを保存するものである。また、メモリ部１０６は、携帯電話端末の筐体に内蔵され、画像などを保存するものである。また、制御部１０５は、これらの各部を制御するものである。さらに、操作入力部１０３は、制御部１０５に対する各種設定を入力するものである。
【００２０】
以下、上記構成要素を備えた本実施形態の携帯電話端末による撮影画像の傾き補正処理について、図２を参照して詳細に説明する。図２は、第１の実施形態の撮影画像に対する傾き補正処理を示すフローチャートである。なお、当該傾き補正処理を行うプログラムはメモリ部１０６に格納されており、撮影が行われるたびに制御部１０５内のＣＰＵ（図示せず）によって実行される。
【００２１】
まず、カメラ部１０１によって撮影された被写体の撮影画像を表示部１０４に表示する（ステップＳ１）。図３は、表示部１０４に表示された傾き補正前の撮影画像を示す説明図である。表示部１０４には、カメラ部１０１によって撮影された被写体２０１を含む撮影画像２０３を回転させるため、その中心となるポイント２０２が予め設定されている。次に、傾き補正処理を行うかを選択する（ステップＳ２）。傾き補正処理を行わない場合、画像処理を行うことなく本処理を終了する。一方、傾き補正処理を行う場合、表示部１０４の画面上に回転中心となるポイント２０２を表示する（ステップＳ３）。
【００２２】
次に、表示部１０４の画面上に表示されたポイント２０２を中心として撮影画像を左右どちらの方向に回転させるかを、操作入力部１０３からの入力に従って選択する（ステップＳ４）。次に、画像処理部１０２に画像処理を指示し、ポイント２０２を中心として選択された回転方向に撮影画像を所定角度回転させる（ステップＳ５）。次に、使用者による操作入力部１０３からの指示に従って、傾き補正処理を終了させるかを判別し（ステップＳ６）、終了させない場合はステップＳ４に戻り、終了させる場合はステップＳ７に進む。ステップＳ７では、表示部１０４の画面上に表示されているポイント２０２を消去して本処理を終了する。
【００２３】
図４は、（ａ）傾き補正前、（ｂ）傾き補正中、（ｃ）傾き補正後の表示部１０４の画面に表示される撮影画像を示す説明図である。なお、撮影画像を回転させる方法としては、回転方向を選択した後、操作入力部１０３の操作によって所定角度回転させる方法の他、操作入力部１０３に右回転ボタンおよび左回転ボタンを設けておき、これらのボタンを押下している間、撮影画像の回転を継続させるようにしても良い。また、操作入力部１０３に回転角度を直接入力することで、撮影画像２０３がポイント２０２を中心に入力された角度分だけ回転するようにしても良い。
【００２４】
以上説明したように、本実施形態の画像処理装置によれば、カメラ部１０１によって被写体２０１が傾いて撮影されても、上記説明した傾き補正処理を行うことで、被写体２０１が正立した状態（図４（ｃ）参照）で表示されるまでポイント２０２を中心として撮影画像２０３を回転させることで被写体２０１の傾きを補正できる。したがって、例えばカメラ部１０１の手ぶれを防止するために、携帯電話端末１００を机等の平らな場所に置いて使用する場合であっても、被写体２０２が正立した状態の画像を得ることができる。
【００２５】
なお、上記説明では撮影画像に対して傾き補正処理を行う場合をについて説明したが、外部メモリ１０７から読み込んだ撮影画像やネットワークを介して通信部１０８で読み込んだ画像に対しても、同様に傾き補正処理を行うことができる。また、表示部１０４には画面上に回転中心となるポイント２０２を表示しているが、ポイント２０２を表示しないようにしても良い。さらに、回転中心となるポイント２０２を表示部１０４の中心に設定したが、任意の位置に設定しても良い。
【００２６】
上述した本実施形態の携帯電話端末１００は、２軸ヒンジ機構を有するヒンジ部を介して上側筐体および下側筐体が開閉自在な折畳式の端末（特許文献２参照）にも適用可能である。図５は、２軸ヒンジ機構を有する携帯電話端末の撮影時および再生時における姿勢を示す説明図である。
【００２７】
図５に示す折畳式の端末は、主にヒンジ部１５１、上側筐体１４１および下側筐体１４３から構成される。ヒンジ部１５１は２軸ヒンジ機構を有しており、軸ａを中心に上側筐体１４１が下側筐体１４３に対して開閉自在であるとともに、軸ａと直交する軸ｂを中心に上側筐体１４１が下側筐体１４３に対して回動自在である。また、上側筐体１４１の前面には、表示部１０４およびカメラ部１０１が配置されている。また、下側筐体１４３の前面には、操作入力部１０３が設けられている。
【００２８】
なお、図５（ａ）は、下側筐体１４３に対して上側筐体１４１を９０度開き、さらに９０度回動させ、表示部１０４が９０度傾いた状態を示す。また、図５（ｂ）は、回動させることなく上側筐体１４１を１８０度開き、表示部１０４が傾かない状態を示す。さらに、図５（ｃ）は、上側筐体１４１を閉じた状態で、表示部１０４に撮影画像が表示される状態を示す。カメラ部１０１を傾けて撮影した場合、傾けずに撮影した場合に比べ、撮影画像は撮影時に傾けた分だけ（ここでは、９０度）傾いて表示部１０４に表示されるが、予め操作入力部１０３から傾き角度を入力しておくことで素早く傾き補正を行って表示させることも可能である。
【００２９】
［第２の実施形態］
第２の実施形態の携帯電話端末は、撮影画像を回転させるための回転中心となるポイントを複数のポイントの中から選択可能であることを特徴とする。図６は、本発明に係る第２の実施形態の携帯電話端末を示すブロック図である。同図において、図１（第１の実施形態）と重複する部分には同一の符号を付して説明を省略する。
【００３０】
第２の実施形態の携帯電話端末２００は、第１の実施形態の操作入力部１０３の代わりに操作入力部１１３を備えて構成されている。操作入力部１１３は、制御部１０５に対する各種設定を入力するものであり、電話番号等を入力するためのテンキー１１３ａと、各種操作を指示するソフトキー１１３ｂと、ジョグダイヤル１１３ｃと、サイドキー１１３ｄと、タッチパネル１１３ｅとを有している。なお、操作入力部１１３は特許請求の範囲の選択手段および移動手段に該当する。
【００３１】
以下、本実施形態の携帯電話端末２００による撮影画像の傾き補正処理について、図７を参照して詳細に説明する。図７は、第２の実施形態の撮影画像に対する傾き補正処理を示すフローチャートである。なお、当該傾き補正処理を行うプログラムは、第１の実施形態と同様、メモリ部１０６に格納されており、撮影が行われるたびに制御部１０５内のＣＰＵ（図示せず）によって実行される。第２の実施形態の傾き補正処理では、第１の実施形態の傾き補正処理で行われたステップＳ３の代わりにステップＳ１１，Ｓ１３を行う。
【００３２】
まず、カメラ部１０１によって撮影された被写体の撮影画像を表示部１０４に表示する（ステップＳ１）。次に、傾き補正処理を行うかを選択する（ステップＳ２）。傾き補正処理を行わない場合、画像処理を行うことなく本処理を終了する。一方、傾き補正処理を行う場合、表示部１０４の画面上に回転中心の候補となる複数のポイントを表示する（ステップＳ１１）。図８は、表示部１０４に表示された傾き補正前の撮影画像を示す説明図である。同図に示すように、表示画像中には回転中心の候補となる複数のポイント２１０が表示される。なお、複数のポイント２１０は、画面上の格子点となる位置に設けられている。
【００３３】
次に、複数のポイント２１０の中から、使用者がソフトキー１１３ｂを操作することによって回転中心となるポイント２１２が選択される（ステップＳ１３）。次に、選択されたポイント２１２（図８のポイント２１２は一例）を中心にして撮影画像を左右どちらの方向に回転させるかを、操作入力部１１３からの入力に従って選択する（ステップＳ４）。次に、画像処理部１０２に画像処理を指示し、ポイント２１２を中心として選択された回転方向に撮影画像を所定角度回転させる（ステップＳ５）。次に、使用者による操作入力部１１３からの指示に従って、傾き補正処理を終了させるかを判別し（ステップＳ６）、終了させない場合はステップＳ１３に戻り、終了させる場合はステップＳ７に進む。ステップＳ７では、表示部１０４の画面上に表示されている全てのポイント２１０，２１２を消去して本処理を終了する。
【００３４】
図９は、回転中心の候補となる複数のポイント２１０の中から実際に回転中心とするポイント２０２を設定して傾き補正処理を行った後の撮影画像を示す説明図である。同図（ａ）〜（ｉ）に示すように、複数のポイント２１０のいずれを回転中心となるポイント２０２に設定しても、被写体２０１が正立した状態になるように傾き補正処理を行う。
【００３５】
以上説明したように、本実施形態の画像処理装置によれば、傾き補正処理を行う際、表示部１０４の画面上に回転中心の候補となる複数のポイント２１０を予め設定しておき、その中から選択されたポイント２０２を中心に撮影画像２０３を回転させている。したがって、傾いて撮影された被写体２０１が表示部１０４の画面の中央部に位置していなくても、適当な候補のポイント２１０の中から回転中心となるポイント２０２を選択することで、傾き補正後の被写体２０１が画面から外れることなく画面内に被写体２０１を収めることができる。
【００３６】
なお、本実施形態では、表示部１０４の画面上に表示された候補となる複数のポイント２１０の中からポイント２０２をソフトキー１１３ｂを用いて選択する場合について説明したが、このような選択方法に限らず、例えば全てのポイント２１０に予め番号を割り当て、該当する番号を操作入力部１１３のテンキー１１３ａから指定することにより、キーに対応付けられた番号のポイントをワンタッチで選択しても良い。図１０は、予め番号が割り当てられたポイント２１０をテンキー１１３ａで指定する様子を示す説明図である。ここでは、画面の左端に位置するポイント２１０から順番に番号が「１」、「２」、…、「９」と割り当てられている。
【００３７】
また、本実施形態では、候補となる複数のポイント２１０を予め定点として設定しているが、１つのポイントを任意の位置に移動させることで、回転中心となるポイント２０２に任意に設定しても良い。図１１は、１つのポイントを任意の位置に移動させることで回転中心となるポイント２０２を設定する様子を示す説明図である。この場合、ポイントの移動は、操作入力部１１３のソフトキー１１３ｂやジョグダイヤル１１３ｃ、サイドキー１１３ｄ、タッチパネル１１３ｅを利用して行うことができる。
【００３８】
［第３の実施形態］
図１２は、本発明に係る第３の実施形態の携帯電話端末を示すブロック図である。同図において、図１（第１の実施形態）と重複する部分には同一の符号を付して説明を省略する。第３の実施形態の携帯電話端末３００は、第１の実施形態の携帯電話端末１００が有する構成要素に加えて、特許請求の範囲の角度検出手段に該当する傾き検出部１２１をさらに備えている。傾き検出部１２１は、地面に対する表示部１０４の傾きを検出するものである。なお、傾き検出部１２１は、携帯電話端末３００の下側筐体１４３の側部に設けられている（図１６参照）。なお、制御部１０５は特許請求の範囲の回転角度算出手段に該当する。
【００３９】
以下、本実施形態の携帯電話端末３００による撮影画像の傾き補正処理について、図１３を参照して詳細に説明する。図１３は、第３の実施形態の撮影画像に対する傾き補正処理手順を示すフローチャートである。なお、当該傾き補正処理を行うプログラムは、第１の実施形態と同様、メモリ部１０６に格納されており、撮影が行われるたびに制御部１０５内のＣＰＵ（図示せず）によって実行される。また、カメラ部１０１によって撮影された被写体の撮影画像はメモリ部１０６に記憶されているものとする。
【００４０】
まず、傾き検出部１２１によって表示部１０４の地面に対する傾き角度を検出する（ステップＳ３１）。次に、表示部１０４の画面に表示される撮影画像をメモリ部１０６から読み出し、ステップＳ３１で検出された傾き角度に基づいて撮影画像の回転角度を算出する（ステップＳ３２）。次に、読み出した撮影画像の傾きをステップＳ３２で算出された回転角度だけ回転して（ステップＳ３３）、本処理を終了する。
【００４１】
図１４は、上側筐体１４１および下側筐体１４３が１８０度に開かれた携帯電話端末３００を机の上に横に置いて使用する状態を示す説明図である。この状態で、表示部１０４が真横に傾いているが、表示部１０４の画面上に表示される撮影画像は、横向きとならず、常に地面に対して被写体が正立した状態の画像となる。
【００４２】
本実施形態では、傾き検出部１２１は、表示部１０４の地面に対する傾きを検出しているが、図１５に示すように、携帯電話端末３００が上部筐体１４１および下部筐体１４３を開閉自在な折畳式の端末である場合、下側筐体１４３を基準とした上側筐体１４１の相対角度（開閉角度）を検出しても良い。なお、以下の説明では、下側筐体１４３を基準とする上側筐体１４１の相対角度（開閉角度）を検出する傾き検出部に符号１２５を付して説明する。
【００４３】
図１５は、下側筐体１４３を基準とする上側筐体１４１の相対角度を検出する傾き検出部１２５が設けられた携帯電話端末の外観を示す構成図である。当該携帯電話端末は、第１の実施形態における２軸ヒンジ機構を有するもの（図５参照）と同様である。図１５では、軸ｂを中心に上側筐体１４１を９０度回動させ、さらに軸ａを中心に任意の角度に傾けた状態が示されている。この場合、下側筐体１４３に設けられた傾き検出部１２５によって、上側筐体１４１に設けられた表示部１０４の軸ａを中心とした開閉角度が検出される。そして、表示部１０４の画面に表示される撮影画像を、下側筐体１４３を基準にしたものとなるように回転させることができる。
【００４４】
図１６は、種々の姿勢をとる上側筐体１４１に配置された表示部１０４の画面に表示される撮影画像を示す説明図である。同図（ａ）、（ｄ）には、上側筐体１４１を回動させることなく、下側筐体１４３に対して上側筐体１４１の開閉角度がそれぞれ１８０度、０度である場合が示されている。また、同図（ｂ）、（ｃ）には、上側筐体１４１を９０度回動させた状態で、下側筐体１４３に対して上側筐体１４１をそれぞれ約１３５度、９０度傾けた状態が示されている。
【００４５】
同図（ａ）〜（ｄ）に示すように、表示部１０４がどのような姿勢をとっても、下側筐体１４３を基準にして上側筐体１４１の開閉角度および回動角度が検出され、被写体２０１が正立する状態で撮影画像２０３を表示させることができる。なお、第１および第２の実施形態と同様、使用者の操作により、撮影画像を任意の角度に回転させるようにしても良い。これにより、下側筐体１４３が地面に対して斜めに傾いている場合であっても、使用者の視線に対し被写体が正立する状態で撮影画像を表示させることができる。
【００４６】
以上説明したように、本実施形態の画像処理装置によれば、表示部１０４の画面に表示される撮影画像２０３を回転させることで、被写体２０１がどのように傾いて撮影されても撮影画像２０３の傾きを補正できる。例えば、被写体２０１の傾きやカメラ部１０１の傾きによって撮影した画像が表示部の外枠に対して傾いて表示されても、撮影後にその傾きを補正できる。さらに、ポイントを中心に回転させることで、被写体２０１の傾きを高度に補正できる。また、任意の位置のポイントを中心に回転させることで、傾き補正の自由度を高めることができる。さらに、表示部１０４を縦や横など、様々な角度に傾けても、被写体２０１を常に見易い角度に表示できる。
【００４７】
なお、撮影画像以外の画像であっても同様に傾きを補正できる。例えば、携帯電話端末において、インターネット等のネットワークを介して入手した画像が傾いて表示される場合であっても、簡単にその傾きを補正できる。
【００４８】
【発明の効果】
以上説明したように、本発明に係る画像処理装置によれば、被写体が傾いている画像の傾きを補正することができる。
【図面の簡単な説明】
【図１】本発明に係る第１の実施形態の携帯電話端末を示すブロック図
【図２】第１の実施形態の撮影画像に対する傾き補正処理を示すフローチャート
【図３】表示部に表示された傾き補正前の撮影画像を示す説明図
【図４】（ａ）傾き補正前、（ｂ）傾き補正中、（ｃ）傾き補正後の表示部の画面に表示される撮影画像を示す説明図
【図５】２軸ヒンジ機構を有する携帯電話端末の撮影時および再生時における姿勢を示す説明図
【図６】本発明に係る第２の実施形態の携帯電話端末を示すブロック図
【図７】第２の実施形態の撮影画像に対する傾き補正処理を示すフローチャート
【図８】表示部に表示された傾き補正前の撮影画像を示す説明図
【図９】回転中心の候補となる複数のポイントの中から実際に回転中心とするポイントを設定して傾き補正処理を行った後の撮影画像を示す説明図
【図１０】予め番号が割り当てられたポイントをテンキーで指定する様子を示す説明図
【図１１】１つのポイントを任意の位置に移動させることで回転中心となるポイントを設定する様子を示す説明図
【図１２】本発明に係る第３の実施形態の携帯電話端末を示すブロック図
【図１３】第３の実施形態の撮影画像に対する傾き補正処理手順を示すフローチャート
【図１４】上側筐体および下側筐体が１８０度に開かれた携帯電話端末を机の上に横に置いて使用する状態を示す説明図
【図１５】下側筐体を基準とする上側筐体の相対角度を検出する傾き検出部が設けられた携帯電話端末の外観を示す構成図
【図１６】種々の姿勢をとる上側筐体に配置された表示部の画面に表示される撮影画像を示す説明図
【図１７】従来の傾き補正機能を有する携帯電話端末の構成を示すブロック図
【符号の説明】
１００  携帯電話端末
１０１  カメラ部
１０２  画像処理部
１０３，１１３  操作入力部
１０４  表示部
１０５  制御部
１０６  メモリ部
１１３ａ  テンキー
１１３ｂ  ソフトキー
１１３ｃ  ジョグダイヤル
１１３ｄ  サイドキー
１１３ｅ  タッチパネル
１２１，１２５  傾き検出部
２０１  被写体
２０２，２１２  ポイント
２０３  撮影画像
【図１】
2004246155.tif 000003
【図２】
2004246155.tif 000004
【図３】
2004246155.tif 000005
【図４】
2004246155.tif 000006
【図５】
2004246155.tif 000007
【図６】
2004246155.tif 000008
【図７】
2004246155.tif 000009
【図８】
2004246155.tif 000010
【図９】
2004246155.tif 000011
【図１０】
2004246155.tif 000012
【図１１】
2004246155.tif 000013
【図１２】
2004246155.tif 000014
【図１３】
2004246155.tif 000015
【図１４】
2004246155.tif 000016
【図１５】
2004246155.tif 000017
【図１６】
2004246155.tif 000018
【図１７】
2004246155.tif 000019